(57)【特許請求の範囲】
【請求項１】
前身頃外装体（１）と，後身頃外装体（２）と，吸収性本体（３）を有し，
前記吸収性本体（３）の前身頃側が，前記前身頃外装体（１）に固定され，
前記吸収性本体（３）の後身頃側が，前記後身頃外装体（２）に固定され，
使い捨ておむつの長さ方向において，前記吸収性本体（３）の前記前身頃側と前記後身頃側の間に位置する股下域は，前記前身頃外装体（１）及び前記後身頃外装体（２）のいずれにも固定されない
使い捨ておむつであって，
前記前身頃外装体（１）と前記後身頃外装体（２）は，使い捨ておむつの幅方向の両端部分に設けられたサイドシール部（１１，２１）において，相対する端部が接合されており，
前記前身頃外装体（１）は，
前記サイドシール部（１１）が前記幅方向の両端部分に形成された前側本体領域（１２）と，
前記前側本体領域（１２）から前記股下域の方向に向かって延出し，前記幅方向における幅が前記股下域の方向に向かうにつれて漸次狭くなる形状の前側延出領域（１３）と，を有し，
前記後身頃外装体（２）は，
前記サイドシール部（２１）が前記幅方向の両端部分に形成された後側本体領域（２２）と，
前記後側本体領域（２２）から前記股下域の方向に向かって延出し，前記幅方向における幅が前記股下域の方向に向かうにつれて漸次狭くなる形状の後側延出領域（２３）と，を有し，
前記前側本体領域（１２）には，前記幅方向に沿って設けられた複数本の第１前側伸縮部材（１４）が，前記長さ方向に間隔（Ｐ１）をおいて設けられており，
前記前側延出領域（１３）には，前記幅方向に沿って設けられた複数本の第２前側伸縮部材（１５）が，前記長さ方向に間隔（Ｐ２）をおいて設けられており，
前記後側本体領域（２２）には，前記幅方向に沿って設けられた複数本の第１後側伸縮部材（２４）が，前記長さ方向に間隔（Ｐ３）をおいて設けられており，
前記後側延出領域（２３）には，前記幅方向に沿って設けられた複数本の第２後側伸縮部材（２５）が，前記長さ方向に間隔（Ｐ４）をおいて設けられており，
前記複数本の第１前側伸縮部材（１４）の間隔（Ｐ１）は，前記複数本の第２前側伸縮部材（１５）の間隔（Ｐ２）よりも狭く，
前記複数本の第１後側伸縮部材（２４）の間隔（Ｐ３）は，前記複数本の第２後側伸縮部材（２５）の間隔（Ｐ４）よりも狭く，
前記吸収性本体（３）は，幅方向の左右両側部に，複数の外側ギャザー伸縮部材（４１）が配置され，
前記吸収性本体（３）は，
前記複数の外側ギャザー伸縮部材（４１）が前記前身頃外装体（１）と前記後身頃外装体（２）に重なる箇所から，その幅方向に亘る伸縮領域（５２）において，
前記複数の外側ギャザー伸縮部材（４１）のうち，少なくとも前記吸収性本体（３）の幅方向の最も外側に位置する外側弾性伸縮部材（４ａ）が配置された外側領域（５２ａ）では，前記前身頃外装体（１）及び前記後身頃外装体（２）から離間しており，
前記外側領域（５２ａ）よりも幅方向内側の内側領域（５２ｂ）では，前記前身頃外装体（１）及び前記後身頃外装体（２）に対して接合されており，
前記複数の外側ギャザー伸縮部材（４１）のうち，少なくとも前記吸収性本体（３）の幅方向の最も内側に位置する外側ギャザー伸縮部材（４１）は，前記内側領域（５２ｂ）に位置している
使い捨ておむつ。
【請求項２】
前記複数の外側ギャザー伸縮部材（４１）は，前記吸収性本体（３）の長さ方向に沿って，少なくとも前記吸収性本体（３）の長さ方向の両端に位置する両端領域（５１）には達しない長さで配置されており，
前記吸収性本体（３）は，前記長さ方向の両端領域（５１）において，前記前身頃外装体（１）及び前記後身頃外装体（２）に対して，幅方向全域に亘って接合されている
請求項１に記載の使い捨ておむつ。
【請求項３】
前記複数本の第２前側伸縮部材（１５）の間隔（Ｐ２）は，前記複数本の第２後側伸縮部材（２５）の間隔（Ｐ４）よりも狭い
請求項１又は請求項２に記載の使い捨ておむつ。
【請求項４】
前記後側延出領域（２３）は，前記前側延出領域（１３）よりも，前記長さ方向に長く延出しており，
前記後側延出領域（２３）に配置される前記第２後側伸縮部材（２５）の本数は，前記前側延出領域（１３）に配置される前記第２前側伸縮部材（１５）の本数よりも多い
請求項３に記載の使い捨ておむつ。
【請求項５】
前記吸収性本体（３）は，
前記前身頃外装体（１）及び前記後身頃外装体（２）と重畳する長さを持つ吸収体（３１）と，
前記吸収体（３１）を肌当接面側から被覆する液透過性のトップシート（３２）と，
前記吸収体（３１）を肌非当接面側から被覆する液不透過性のバックシート（３３）と，を備え，
前記複数本の第１前側伸縮部材（１４）と前記複数本の第２前側伸縮部材（１５）のうち，前記吸収体（３１）と重畳するものは，当該重畳する領域に伸縮性が発現しない非伸縮領域を有し，
前記複数本の第１後側伸縮部材（２４）と前記複数本の第２後側伸縮部材（２５）のうち，前記吸収体（３１）と重畳するものは，当該重畳する領域に伸縮性が発現しない非伸縮領域を有する
請求項１から請求項４のいずれかに記載の使い捨ておむつ。
【発明の詳細な説明】
【技術分野】
【０００１】
本発明は，着用者の股下に装着され，尿などの液体を吸収し保持するための使い捨ておむつに関する。具体的に説明すると，本発明は，前身頃外装体と後身頃外装体との間に吸収性本体が架橋されたタイプの使い捨ておむつに関するものである。
【背景技術】
【０００２】
従来から，トップシートと，バックシートと，これらのシート間に介在する吸収体を含む使い捨ておむつが知られている。一般的な使い捨ておむつにおいて，吸収体は，着用者の肌に接する表面側から液透過性材料で形成されたトップシートにより被覆され，反対の裏面側から液不透過性材料で形成されたバックシートにより被覆されている。このため，例えば着用者が排泄した体液は，トップシートを透過して，吸収体により吸収され，バックシートによって外側への漏出が防止されるようになっている。
【０００３】
また，上記構成を有する使い捨ておむつとして，吸収性本体と，この吸収性本体を着用者の腰周りに保持するための前身頃外装体と後身頃外装体とが，それぞれ分離して形成されたタイプの使い捨ておむつ（いわゆる架橋型の使い捨ておむつ）が知られている（例えば特許文献１）。架橋型の使い捨ておむつでは，吸収性本体の長さ方向の一端側が前身頃外装体に固定され，吸収性本体の長さ方向の他端側が後身頃外装体に固定される。このため，吸収性本体は，前身頃外装体と後身頃外装体との間に，架橋されるような構造となる。そして，吸収性本体が架橋された状態で，前身頃外装体と後身頃外装体を，その両側縁部に設けられたサイドシール部において接合することにより，パンツ型の使い捨ておむつが形成される。着用者は，パンツ型に形成された使い捨ておむつに，両脚部を挿入することにより，着用することができるようになっている。このような架橋型の使い捨ておむつは，脚部周りの開口部が広く開放されているため，着用者は，使い捨ておむつを装着した状態であっても，両脚部を比較的自由に動かすことができるという利点がある。
【先行技術文献】
【特許文献】
【０００４】
【特許文献１】特開２０１０−２３３７３３号公報
【特許文献２】特開２０１１−０５０４８４号公報
【発明の概要】
【発明が解決しようとする課題】
【０００５】
ところで，上記特許文献１に示された架橋型の使い捨ておむつにおいて，前身頃外装体と後身頃外装体には，おむつの幅方向にサイドシール部を有する本体部分と，この本体部分から股下方向に向かって延出した延出部分が存在する。前身頃外装体の本体部分と後身頃外装体の本体部分は，サイドシール部において接合されて環状を形成し，着用者の腹部周りに密着する。しかしながら，前身頃外装体の延出部分と後身頃外装体の延出部分は，他の部分に連接していないことから，着用者の肌に対して密着しにくく，浮いてしまうという問題があった。前身頃外装体と後身頃外装体の延出部分が着用者の肌から浮いてしまうと，その浮いた部分から尿漏れが発生したり，浮いた部分が衣服等に引っ掛かったり，おむつ全体の見栄えが悪くなるという問題があった。
【０００６】
また，上記問題点を解消するために，例えば前身頃外装体と後身頃外装体に，おむつの幅方向に沿って複数本の弾性伸縮部材を伸長状態で配設することが考えられる。特に，前身頃外装体と延出部分に複数本の弾性伸縮部材を配設することで，その延出部分を着用者の肌に密着させることができる。このように，使い捨ておむつ腹周りに複数本の弾性伸縮部材を配設する技術は，例えば特許文献２等においてよく知られている。しかしながら，前身頃外装体と後身頃外装体の本体部分と延出部分に，複数本の弾性伸縮部材を均一な間隔で配置すると，本体部分における密着性は高まるものの，延出部分には弾性伸縮部材の収縮力によって皺が生じてしまうことがあった。このように，前身頃外装体と後身頃外装体の延出部分に皺が生じると，却っておむつと着用者の身体の間に隙間が生じてしまい，尿漏れが生じたり，おむつの見栄えが悪くなるという問題がある。
【０００７】
このため，現在では，架橋型の使い捨ておむつにおいて，前身頃外装体と後身頃外装体の本体部分及び延出部分を適切に着用者の身体にフィットさせることのできる技術が求められている。
【課題を解決するための手段】
【０００８】
そこで，本発明の発明者は，上記の従来発明の問題点を解決する手段について鋭意検討した結果，前身頃外装体及び後身頃外装体の本体部分の幅方向に沿って配設された複数本の弾性伸縮部材同士の間隔を，その延出部分の幅方向に沿って配設された複数本の弾性伸縮部材同士の間隔よりも狭くすることにより，本体部分及び延出部分に配設された弾性伸縮部材を適切なバランスとし，着用者の身体に対するフィット性を向上させることができるという知見を得た。そして，このような知見に基づけば，上記従来の問題点を解決できることに想到し，本発明を完成させた。
具体的に説明すると，本発明は以下の構成を有する。
【０００９】
本発明は，架橋型の使い捨ておむつに関する。
架橋型の使い捨ておむつは，吸収性本体３の前身頃側が前身頃外装体１に固定され，吸収性本体３の後身頃側が後身頃外装体２に固定され，吸収性本体３の前身頃側と後身頃側の間に位置する股下域は前身頃外装体１及び後身頃外装体２のいずれにも固定されない。
また，前身頃外装体１と後身頃外装体２は，使い捨ておむつの幅方向の両端部分に設けられたサイドシール部１１，２１において，相対する端部が接合される。
ここで，前身頃外装体１は，サイドシール部１１が幅方向の両端部分に形成された前側本体領域１２と，前側本体領域１２から股下域の方向に向かって延出し幅方向における幅が股下域の方向に向かうにつれて漸次狭くなる形状の前側延出領域１３と，を有する。
また，後身頃外装体２は，サイドシール部２１が幅方向の両端部分に形成された後側本体領域２２と，後側本体領域２２から股下域の方向に向かって延出し幅方向における幅が股下域の方向に向かうにつれて漸次狭くなる形状の後側延出領域２３と，を有する。
前側本体領域１２には，幅方向に沿って設けられた複数本の第１前側伸縮部材１４が，長さ方向に間隔Ｐ１をおいて設けられている。
前側延出領域１３には，幅方向に沿って設けられた複数本の第２前側伸縮部材１５が，長さ方向に間隔Ｐ２をおいて設けられている。
後側本体領域２２には，幅方向に沿って設けられた複数本の第１後側伸縮部材２４が，長さ方向に間隔Ｐ３をおいて設けられている。
後側延出領域２３には，幅方向に沿って設けられた複数本の第２後側伸縮部材２５が，長さ方向に間隔Ｐ４をおいて設けられている。
そして，複数本の第１前側伸縮部材１４の間隔Ｐ１は，複数本の第２前側伸縮部材１５の間隔Ｐ２よりも狭くなっている。例えば，間隔Ｐ１は，間隔Ｐ２に対し，２５％〜９０％であることが好ましい。
また，複数本の第１後側伸縮部材２４の間隔Ｐ３は，複数本の第２後側伸縮部材２５の間隔Ｐ４よりも狭くなっている。間隔Ｐ３は，間隔Ｐ４に対し，２０％〜８０％であることが好ましい。
【００１０】
上記構成のように，例えば前身頃外装体１において，前側本体領域１２に配置された複数の第１前側伸縮部材１４同士の間隔Ｐ１が，前側延出領域１３に配置された複数の第２前側伸縮部材１５同士の間隔Ｐ２よりも狭いことで，前身頃外装体１の前側本体領域１２を着用者の腹部周りに適切に密着させることができる。他方，例えば前身頃外装体１において，第２前側伸縮部材１５同士の間隔Ｐ２が，第１前側伸縮部材１４同士の間隔Ｐ１よりも広いことで，適切なフィット感で着用者の鼠径部を覆うことができる。すなわち，上記構成とすることで，前身頃外装体１の前側延出領域１３が，着用者の肌から浮いてしまうことを防止しつつ，前側延出領域１３に不要な皺が生じることを防止できる。このことは，後身頃外装体２においても同様である。
【００１１】
本発明の使い捨ておむつにおいて，複数本の第２前側伸縮部材１５の間隔Ｐ２は，複数本の第２後側伸縮部材２５の間隔Ｐ４よりも狭いことが好ましい。
【００１２】
上記構成のようにすることで，前身頃外装体１の前側延出領域１３を着用者の鼠径部に適切にフィットさせつつ，しかも後身頃外装体２の後側延出領域２３も着用者の臀部に適切にフィットするようになる。すなわち，通常，人体の腰周り周辺は，鼠蹊部（大腿部付根近傍の下腹部中央にある三角形状の部分）よりも臀部の方が膨らみを持っている。このため，前身頃外装体１の前側延出領域１３を着用者の鼠径部に適切にフィットさせるために，第２前側伸縮部材１５の間隔Ｐ２は比較的狭いことが好ましい。他方，第２後側伸縮部材２５の間隔Ｐ４は比較的広いものであっても，臀部の膨らみにより，後身頃外装体２の後側延出領域２３は適切にフィットする。このように，人体の特性を考慮し，複数本の第２前側伸縮部材１５の間隔Ｐ２を，複数本の第２後側伸縮部材２５の間隔Ｐ４よりも狭くすることで，おむつの着用感を向上させることができる。
【００１３】
本発明の使い捨ておむつにおいて，後側延出領域２３は，前側延出領域１３よりも長さ方向に長く延出していることが好ましい。この場合において，後側延出領域２３に配置される第２後側伸縮部材２５の本数は，前側延出領域１３に配置される第２前側伸縮部材１５の本数よりも多いことが好ましい。
【００１４】
上記のように，後側延出領域２３の面積を前側延出領域１３の面積よりも大きくし，後側延出領域２３に第２後側伸縮部材２５を比較的本数多く配設することで，着用者の臀部を隙間なく覆うことができる。他方，前側延出領域１３の面積を比較的小さくし，前側延出領域１３に第２前側伸縮部材１５を比較的本数少なく配設することで，着用者の鼠径部を適切な面積でフィット性良く覆うことができる。
【００１５】
本発明の使い捨ておむつにおいて，吸収性本体３は，前身頃外装体１及び後身頃外装体２と重畳する長さを持つ吸収体３１と，吸収体３１を肌当接面側から被覆する液透過性のトップシート３２と，吸収体３１を肌非当接面側から被覆する液不透過性のバックシート３３と，を備えることが好ましい。この場合，複数本の第１前側伸縮部材１４と複数本の第２前側伸縮部材１５のうち，吸収体３１と重畳するものは，当該重畳する領域に伸縮性が発現しない非伸縮領域を有することが好ましい。同様に，複数本の第１後側伸縮部材２４と複数本の第２後側伸縮部材２５のうち，吸収体３１と重畳するものは，当該重畳する領域に伸縮性が発現しない非伸縮領域を有することが好ましい。
【００１６】
吸収性本体３が，液体を吸収保持するための吸収体３１を有する場合，その吸収体３１と重畳する領域に弾性伸縮部材を配置すると，吸収体３１が伸縮力の影響を受け撓む恐れがある。そこで，吸収体３１と重畳部分において，各弾性伸縮部材に非伸縮領域を形成することで，吸収体３１の撓みを解消できる。
【発明の効果】
【００１７】
本発明は，前身頃外装体及び後身頃外装体の本体部分の幅方向に沿って配設された複数本の弾性伸縮部材同士の間隔が，その延出部分の幅方向に沿って配設された複数本の弾性伸縮部材同士の間隔よりも狭いものであるため，本体部分が着用者の腹部周りに適切にフィットするようになる。他方，前身頃外装体及び後身頃外装体の延出部分に設けられる複数本の弾性伸縮部材同士の間隔を，本体部分に設けられる複数本の弾性伸縮部材同士の間隔よりも広くすることで，その延出部分が，着用者の肌から浮いてしまうことを防止しつつも，延出領域に不要な皺がヨレが生じることを防止できる。
【図面の簡単な説明】
【００１８】
【図１】図１は，本発明に係る使い捨ておむつの例を示す斜視図である。
【図２】図２は，本発明に係る使い捨ておむつの例を示す展開図である。
【図３】図３は，図２のＸ−Ｘ線における断面図である。
【図４】図４は，前身頃外装体及び後身頃外装体を抽出して示した平面図である。図４（ａ）は前身頃外装体を示し，図４（ｂ）は後身頃外装体を示している。
【図５】図５は，本発明に係る使い捨ておむつの例を示す展開図であり，前身頃外装体及び後身頃外装体に対する吸収性本体の接合部分を，斜線で示している。
【図６】図６は，図５に示した使い捨ておむつの断面図である。図６（ａ）は，図５のＸ１−Ｘ１線における断面形状を示し，図６（ｂ）は，図５のＸ２−Ｘ２線における断面形状を示し，図６（ｂ）は，図５のＸ３−Ｘ３線における断面形状を示している。
【発明を実施するための形態】
【００１９】
以下，図面を用いて本発明を実施するための形態について説明する。本発明は，以下に説明する形態に限定されるものではなく，以下の形態から当業者が自明な範囲で適宜修正したものも含む。
ここで，本願明細書において，「Ａ〜Ｂ」とは，「Ａ以上Ｂ以下」であることを意味する。
また，本願明細書において，使い捨ておむつや吸収性本体の「長さ方向」というときは，基本的に，前身頃側と後身頃側を結ぶ方向（図２における上下方向）を意味し，「幅方向」というときは，基本的に，長さ方向に直交する方向（図２における左右方向）を意味する。
【００２０】
（１．使い捨ておむつの全体構成）
図１は，使い捨ておむつ１００の例を示す概略図であり，使い捨ておむつ１００を前身頃外装体１側からみた状態を示している。図２は，図１に示された使い捨ておむつ１００の展開図であり，使い捨ておむつ１００を，吸収性本体３のトップシート３２側からみた状態を示している。なお，図２においては，各所に配置された弾性伸縮部材の位置関係を示すため，使い捨ておむつを構成する各種シート材を透過的に描画している。また，図３は，図２に示されたＸ−Ｘ線における使い捨ておむつ１００の断面図を示している。
【００２１】
図１及び図２に示されるように，使い捨ておむつ１００は，前身頃外装体１と，後身頃外装体２と，吸収性本体３を有している。前身頃外装体１は，装着時において着用者の腹部に接触し，後身頃外装体２は，装着時において着用者の背部に接触する。前身頃外装体１と後身頃外装体２は，互いに分離している。前身頃外装体１と後身頃外装体２は，それぞれ個別に形成されたものであってもよいし，一体的に形成されたものが後に分離したものであってもよい。吸収性本体３は，その長さ方向の一端部側が前身頃外装体１に固定され，他端部側が後身頃外装体２に固定される。このため，本発明では，吸収性本体３が，前身頃外装体１と後身頃外装体２との間に架橋された状態となっている。吸収性本体３を，前身頃外装体１と後身頃外装体２に固定する手段は，公知の方法を用いることができ，例えば，ホットメルト接着剤やその他流動性のある接着剤を用いた固定方法に固定することとしてもよいし，ヒートシールのような熱溶着や超音波溶着により固定することとしてもよい。
【００２２】
また，図１に示されるように，前身頃外装体１と後身頃外装体２は，互いに幅方向両側縁に位置するサイドシール部１１，２１において接合されることにより，前身頃外装体１及び後身頃外装体２が環状に繋がる。このため，図１に示されるように，装着時に着用者の腰周りに位置する腰周り開口部５と，装着時に着用者の脚部周りに位置する脚部周り開口部６が形成される。このようにして，架橋型の使い捨ておむつ１００が形成される。着用者は，その腹部が前身頃外装体１に接触し，背部が後身頃外装体２に接触するようにして，腰周り開口部５からに両脚部を入れ，それぞれの脚部を脚部周り開口部６から出すことで，架橋型の使い捨ておむつ１００を装着することができる。
【００２３】
（２．使い捨ておむつの各部構成）
以下，本発明の使い捨ておむつ１００の具体的な各部の構成について具体的に説明する。
【００２４】
（２−１．前身頃外装体，及び後身頃外装体）
前身頃外装体１及び後身頃外装体２は，着用者の腹部及び背部に接触するとともに，使い捨ておむつ１００の着用時において，前身頃外装体１及び後身頃外装体２の間に位置する吸収性本体３を，吊持するための部材である。
【００２５】
前身頃外装体１と後身頃外装体２は，おむつの幅方向の左右両側縁部に，一対のサイドシール部１１，２１を有している。前身頃外装体１と後身頃外装体２は，おむつの幅方向の左右両側縁部を互いに重ね合わせた状態で，一対のサイドシール部１１，２１において接合される。この一対のサイドシール部１１，２１は，おむつの長さ方向に延びて直線的に形成される。サイドシール部１１，２１において，前身頃外装体１と後身頃外装体２は，例えば，熱エンボス溶着や超音波エンボス溶着のような公知の接合手段により接合される。
【００２６】
前身頃外装体１において，左右一対のサイドシール部１１が存在する箇所から，おむつ幅方向に亘る領域が，前側本体領域１２となる。換言すると，前側本体領域１２は，おむつ幅方向の左右両端部分にサイドシール部１１を有し，サイドシール部１１と同じ長さ方向の長さを有する矩形の領域である。また，前身頃外装体１において，前側本体領域１２から股下域３ａの方向に向かって延出した領域が，前側延出領域１３となる。前側延出領域１３は，前側本体領域１２よりもおむつ幅方向における幅が狭くなっており，また前側延出領域１３の幅は股下域３ａの方向に向かうにつれて漸次狭くなる。
同様に，後身頃外装体２において，左右一対のサイドシール部２１が存在する箇所から，おむつ幅方向に亘る領域が，後側本体領域２２となる。すなわち，後側本体領域２２は，おむつ幅方向の左右両端部分にサイドシール部２１を有し，サイドシール部２１と同じ長さ方向の長さを有する矩形の領域である。また，後身頃外装体２において，後側本体領域２２から股下域３ａの方向に向かって延出した領域が，後側延出領域２３となる。後側延出領域２３は，後側本体領域２２よりもおむつ幅方向における幅が狭くなっており，また後側延出領域２３の幅は股下域３ａの方向に向かうにつれて漸次狭くる。
【００２７】
具体的に説明すると，図２の展開図に示されるように，前身頃外装体１は，腰周り端となる辺である長辺１ａと，一対のサイドシール部１１が形成された一対の両側辺１ｂと，長辺１ａと略平行に形成され吸収性本体３が固定される辺である短辺１ｃと，一対の両側辺１ｂと短辺１ｃを結ぶ一対の斜辺１ｄを有する形状となっている。この場合に，一対の両側辺１ｂの一端同士を長辺１ａで結び，一対の両側辺１ｂの他端同士を仮想の線で結んだ場合に，画定される略矩形状の領域が，前身頃外装体１の前側本体領域１２となる。他方，一対の斜辺１ｄの一端同士を短辺１ｃで結び，一対の斜辺１ｄの他端同士を仮想の線で結んだ場合に，画定される略台形状の領域が，前身頃外装体１の前側延出領域１３となる。
また，後身頃外装体２も同様に，腰周り端となる辺である長辺２ａと，一対のサイドシール部２１が形成された一対の両側辺２ｂと，長辺２ａと略平行に形成され吸収性本体３が固定される辺である短辺２ｃと，一対の両側辺２ｂと短辺２ｃを結ぶ一対の斜辺２ｄを有する形状となっている。この場合に，一対の両側辺２ｂの一端同士を長辺２ａで結び，一対の両側辺２ｂの他端同士を仮想の線で結んだ場合に，画定される略矩形状の領域が，後身頃外装体２の後側本体領域２２となる。他方，一対の斜辺２ｄの一端同士を短辺２ｃで結び，一対の斜辺２ｄの他端同士を仮想の線で結んだ場合に，画定される略台形状の領域が，後身頃外装体２の後側延出領域２３となる。
【００２８】
また，図２に示されるように，後身頃外装体２の後側延出領域２３は，前身頃外装体１の前側延出領域１３よりも，股下域３ａの方向に長く延出している。例えば，後側延出領域２３の長さ方向における長さは，前側延出領域１３の長さを１００％とした場合に，１２０％〜２５０％，又は１５０％〜２００％であることが好ましい。このため，後身頃外装体２の後側延出領域２３の面積が，前身頃外装体１の前側延出領域１３の面積よりも，大きくなっている。このような形状とすることで，後身頃外装体２の後側延出領域２３によって，着用者の臀部を適切に覆うことができる。他方，前身頃外装体１については，一対の斜辺１ｄの傾斜が後身頃外装体２における一対の斜辺２ｄの傾斜よりも緩やかになるため，前身頃外装体１と後身頃外装体２を接合した場合であっても，脚部周り開口部６は，前身頃外装体１側の方が比較的広く開けることとなり，着用者が両脚部を動かし易くなる。
【００２９】
また，前側本体領域１２と後側本体領域２２の面積は，実質的に等しい（±５％以内）ものであることが好ましい。また，前側本体領域１２の面積に対し，前側延出領域１３の面積は，１０％〜３０％又は１５％〜２５％であることが好ましい。また，後側本体領域２２の面積に対し，後側延出領域２３の面積は，２０％〜８０％又は４０％〜６０％であることが好ましい。前身頃外装体１と後身頃外装体２の各部領域の面積が，上記の関係を満たすものであることにより，着用者の鼠径部及び臀部を，前側延出領域１３及び後側延出領域２３によって適切に覆うことができる。
【００３０】
（２−１−１．インナーシートとアウターシート）
前身頃外装体１と後身頃外装体２は，例えば，インナーシート１６，２６とアウターシート１７，２７を重ね合わせることにより構成されている。インナーシート１６，２６は，着用者の肌に接する面（肌当接面）側に配置され，アウターシート１７，２７は，着用者の肌に接しない面（肌非当接面）側に配置される。インナーシート１６，２６とアウターシート１７，２７は，別途形成されたシート材であってもよいし，例えば一枚のシート材を使い捨ておむつの腰周り開口部の端縁に相当する位置で折り返すことにより一体的に形成されたものであってもよい。また，インナーシート１６，２６とアウターシート１７，２７の間には，他のシート部材が介在するものであってもよい。インナーシート１６，２６とアウターシート１７，２７は，例えば，柔軟な繊維不織布やプラスチックシートや，それらのラミネートシートによって形成されている。インナーシート１６，２６とアウターシート１７，２７の間は，例えばホットメルト接着剤によって接着される。さらに，インナーシート１６，２６とアウターシート１７，２７の間には，使い捨ておむつの幅方向に沿って配置された複数本の弾性伸縮部材が，長さ方向に間隔をおいて伸長状態で固定されている。
【００３１】
（２−１−２．弾性伸縮部材）
前身頃外装体１及び後身頃外装体２に配置された弾性伸縮部材は，前身頃外装体１及び後身頃外装体２の腰周りや腹周りにギャザーを形成するための部材である。ギャザーとは，インナーシートとアウターシートの間に伸長状態で挟持された複数本の弾性伸縮部材が収縮することにより，インナーシートやアウターシートに襞が生じて形成されたものである。ギャザーを形成することで，前身頃外装体１及び後身頃外装体２の柔軟性や密着性を高めることができる。
【００３２】
図４は，図２の展開図に示された使い捨ておむつの構成のうち，前身頃外装体１及び後身頃外装体２を抽出した描画したものである。図４（ａ）は前身頃外装体１を示し，図４（ｂ）は後身頃外装体２を示している。
図４（ａ）に示されるように，前身頃外装体１の前側本体領域１２には，複数本の第１前側伸縮部材１４が設けられている。また，前身頃外装体１の前側延出領域１３には，複数本の第２前側伸縮部材１５が設けられている。また，図４（ｂ）に示されるように，後身頃外装体２の後側本体領域２２には，複数本の第１後側伸縮部材２４が設けられている。また，後身頃外装体２の後側延出領域２３には，複数本の第２後側伸縮部材２５が設けられている。これらの第１前側伸縮部材１４，第２前側伸縮部材１５，第１後側伸縮部材２４，及び第２後側伸縮部材２５は，前身頃外装体１及び後身頃外装体２の幅方向全体にわたって伸長状態で配置され，おむつの長さ方向に間隔をおいて設けられている。図４に示されるように，複数本の第１前側伸縮部材１４及び第２前側伸縮部材１５は，実質的に平行に配設されていることが好ましく，また，複数本の第１後側伸縮部材２４及び第２後側伸縮部材２５も，実質的に平行に配設されていることが好ましい。
【００３３】
まず，前身頃外装体１の前側本体領域１２には，複数の第１前側伸縮部材１４が，長さ方向に間隔Ｐ１をおいて設けられる。前側本体領域１２に設けられた複数の第１前側伸縮部材１４同士の間隔が一定でない場合，間隔Ｐ１とは，第１前側伸縮部材１４同士の間隔のうち，最も狭い間隔を意味する。第１前側伸縮部材１４の間隔Ｐ１は，１ｍｍ〜１５ｍｍ，又は３ｍｍ〜１０ｍｍであることが好ましい。
【００３４】
また，複数の第１前側伸縮部材１４同士の間隔が一定でない場合，第１前側伸縮部材１４同士の間隔のうちの最も広い間隔Ｐ１´は，最も狭い間隔Ｐ１の３倍以下であることが好ましい（Ｐ１´≦３Ｐ１）。そして，前身頃外装体１の前側本体領域１２には，長さ方向においてＰ１´以上の隙間が形成されないように，第１前側伸縮部材１４が配置されていることが好ましい。これらの条件を満たすことで，図４（ａ）に示されるように，前側本体領域１２の全体に第１前側伸縮部材１４が配置されるようになる。例えば，前側本体領域１２に配置される第１前側伸縮部材１４の本数は，１５本〜３０本，又は２０本〜２５本であることが好ましい。
【００３５】
また，第１前側伸縮部材１４のうち一本又は複数本は，吸収性本体３の吸収体３１と重なっていてもよいし，吸収体３１と重なる幅方向中央部に非伸縮領域１４ａが形成されていてもよい。図４（ａ）に示した例では，第１前側伸縮部材１４は，非伸縮領域１４ａにおいて間欠的に切断され，非伸縮領域１４ａの幅方向左右両側にのみ配置されている。なお，第１前側伸縮部材１４は，非伸縮領域１４ａにおいて伸縮性が発現しないようにされていてもよい。
【００３６】
図４（ａ）に示されるように，前身頃外装体１の前側延出領域１３には，複数の第２前側伸縮部材１５が，長さ方向に間隔Ｐ２をおいて設けられている。前側延出領域１３に設けられた複数の第２前側伸縮部材１５同士の間隔が一定でない場合，間隔Ｐ２とは，第２前側伸縮部材１５の間隔のうち，最も狭い間隔を意味する。ただし，前側延出領域１３に設けられた複数の第２前側伸縮部材１５同士の間隔は，一定であることが好ましい。第２前側伸縮部材１５同士の間隔を一定とすることで，前側延出領域１３の収縮性が均一となり，前側延出領域１３に不要な皺やヨレが発生することを防止できる。
仮に，複数の第２前側伸縮部材１５同士の間隔が一定でない場合，第２前側伸縮部材１５同士の間隔のうちの最も広い間隔Ｐ２´は，最も狭い間隔Ｐ２の３倍以下であることが好ましい（Ｐ２´≦３Ｐ２）。
【００３７】
また，図４（ａ）に示されるように，第２前側伸縮部材１５同士の間隔Ｐ２は，第１前側伸縮部材１４の間隔Ｐ１よりも広く確保されている（Ｐ２＞Ｐ１）。例えば，間隔Ｐ２は，間隔Ｐ１に対し，１１０％〜４００％，１５０％〜３５０％，又は２００％〜３００％であることが好ましい。特に，複数の第１前側伸縮部材１４同士の間隔が一定でない場合，第２前側伸縮部材１５同士の間隔Ｐ２は，第１前側伸縮部材１４同士の間隔のうちの最も広い間隔Ｐ１´より広いものであることが好ましい（Ｐ２＞Ｐ１´）。換言すると，間隔Ｐ１は間隔Ｐ２よりも狭くなっている。例えば，第２前側伸縮部材１５同士の間隔Ｐ２は，２ｍｍ〜８０ｍｍ，１０ｍｍ〜６０ｍｍ，又は３０ｍｍ〜４０ｍｍである。このように，第２前側伸縮部材１５同士の間隔Ｐ２を，第１前側伸縮部材１４の間隔Ｐ１よりも広く確保することで，前側延出領域１３が，着用者の鼠径部に対して適度なフィット感で密着するようになる。
【００３８】
また，前身頃外装体１の前側延出領域１３には，長さ方向においてＰ２（又はＰ２´）以上の隙間が形成されないように，第２前側伸縮部材１５が配置されていることが好ましい。例えば，前側延出領域１３に配置される第２前側伸縮部材１５の本数は，２本〜１０本，又は４本〜６本である。
【００３９】
第２前側伸縮部材１５は，吸収性本体３の吸収体３１と重なっていてもよいし，吸収体３１と重なる幅方向中央部に非伸縮領域１５ａが形成されていてもよい。図４（ａ）に示した例では，第２前側伸縮部材１５は，非伸縮領域１５ａにおいて間欠的に切断され，非伸縮領域１５ａの幅方向左右両側にのみ配置されている。
【００４０】
続いて，後身頃外装体２に配置される弾性伸縮部材について説明する。図４（ｂ）に示されるように，後身頃外装体２の後側本体領域２２に配置される第１後側伸縮部材２４は，
基本的に，上述した前身頃外装体１の前側本体領域１２に配置される第１前側伸縮部材１４と，同じ条件であることが好ましい。すなわち，後身頃外装体２の後側本体領域２２には，複数の第１後側伸縮部材２４が，長さ方向に間隔Ｐ３をおいて設けられる。なお，後側本体領域２２に設けられた複数の第１後側伸縮部材２４同士の間隔が一定でない場合，間隔Ｐ３とは，第１後側伸縮部材２４同士の間隔のうち，最も狭い間隔を意味する。第１後側伸縮部材２４の間隔Ｐ３は，１ｍｍ〜１５ｍｍ，又は３ｍｍ〜１０ｍｍであることが好ましく，特に上記した第１前側伸縮部材１４の間隔Ｐ１の間隔と等しいものであることが好ましい。
【００４１】
また，複数の第１後側伸縮部材２４同士の間隔が一定でない場合，第１後側伸縮部材２４同士の間隔のうちの最も広い間隔Ｐ３´は，最も狭い間隔Ｐ３の３倍以下であることが好ましい（Ｐ３´≦３Ｐ３）。そして，後身頃外装体２の後側本体領域２２には，長さ方向においてＰ３´以上の隙間が形成されないように，第１後側伸縮部材２４が配置されていることが好ましい。例えば，後側本体領域２２に配置される第１後側伸縮部材２４の本数は，１５本〜３０本，又は２０本〜２５本であることが好ましく，特に上記した第１前側伸縮部材１４の本数と等しいものであることが好ましい。
【００４２】
第１後側伸縮部材２４のうち一本又は複数本は，吸収性本体３の吸収体３１と重なっていてもよいし，吸収体３１と重なる幅方向中央部に非伸縮領域２４ａが形成されていてもよい。図４（ｂ）に示した例では，第１後側伸縮部材２４は，非伸縮領域２４ａにおいて間欠的に切断され，非伸縮領域２４ａの幅方向左右両側にのみ配置されている。
【００４３】
図４（ｂ）に示されるように，後身頃外装体２の後側延出領域２３には，複数の第２後側伸縮部材２５が，長さ方向に間隔Ｐ４をおいて設けられている。なお，後側延出領域２３に設けられた複数の第２後側伸縮部材２５同士の間隔が一定でない場合，間隔Ｐ４とは，第２後側伸縮部材２５の間隔のうち，最も狭い間隔を意味する。ただし，後側延出領域２３に設けられた複数の第２後側伸縮部材２５同士の間隔は，一定であることが好ましい。第２後側伸縮部材２５同士の間隔を一定とすることで，後側延出領域２３の収縮性が均一となり，後側延出領域２３に不要な皺やヨレが発生することを防止でき，着用者の臀部に対するフィット性が向上する。
仮に，複数の第２後側伸縮部材２５同士の間隔が一定でない場合，第２後側伸縮部材２５同士の間隔のうちの最も広い間隔Ｐ４´は，最も狭い間隔Ｐ４の３倍以下であることが好ましい（Ｐ４´≦３Ｐ４）。
【００４４】
また，図４（ｂ）に示されるように，第２後側伸縮部材２５同士の間隔Ｐ４は，第１後側伸縮部材２４の間隔Ｐ３よりも広く確保されている（Ｐ４＞Ｐ３）。例えば，間隔Ｐ４は，間隔Ｐ３に対し，１２０％〜４５０％，１５０％〜４００％，又は２５０％〜３５０％であることが好ましい。特に，複数の第１後側伸縮部材２４同士の間隔が一定でない場合，第２後側伸縮部材２５同士の間隔Ｐ４は，第１後側伸縮部材２４同士の間隔のうちの最も広い間隔Ｐ３´よりも広いものであることが好ましい（Ｐ４＞Ｐ３´）。換言すると，間隔Ｐ３は間隔Ｐ４よりも狭くなっている。例えば，第２後側伸縮部材２５同士の間隔Ｐ４は，４ｍｍ〜１００ｍｍ，１５ｍｍ〜８０ｍｍ，又は４０ｍｍ〜６０ｍｍである。このように，第２後側伸縮部材２５同士の間隔Ｐ４を，第１後側伸縮部材２４の間隔Ｐ３よりも広く確保することで，後側延出領域２３が，着用者の臀部に対して適度なフィット感で密着するようになる。
【００４５】
また，後身頃外装体２の後側延出領域２３には，長さ方向においてＰ４（又はＰ４´）以上の隙間が形成されないように，第２後側伸縮部材２５が配置されていることが好ましい。例えば，後側延出領域２３に配置される第２後側伸縮部材２５の本数は，３本〜１５本，又は５本〜１０本である。後身頃外装体２に設けられる第２後側伸縮部材２５の本数は，前身頃外装体１に設けられる第２前側伸縮部材１５の本数よりも多くなっている。
【００４６】
第２後側伸縮部材２５は，吸収性本体３の吸収体３１と重なっていてもよいし，吸収体３１と重なる幅方向中央部に非伸縮領域２５ａが形成されていてもよい。図４（ｂ）に示した例では，第２後側伸縮部材２５は，非伸縮領域２５ａにおいて間欠的に切断され，非伸縮領域２５ａの幅方向左右両側にのみ配置されている。
【００４７】
さらに，図４（ａ）及び図４（ｂ）に示された実施形態では，前身頃外装体１の前側延出領域１３に配置された第２前側伸縮部材１５同士の間隔Ｐ２と，後身頃外装体２の後側延出領域２３に配置された第２後側伸縮部材２５同士の間隔Ｐ４を比較すると，間隔Ｐ２が間隔Ｐ４よりも狭くなっている（Ｐ２＜Ｐ４）。例えば，間隔Ｐ２の値は，間隔Ｐ４の値に対して，３０％〜８０％，又は５０％〜６０％であることが好ましい。すなわち，前身頃外装体１の前側延出領域１３は着用者の鼠径部を覆い，後身頃外装体２の後側延出領域２３は着用者の臀部の全部又は一部を覆うものである。ただし，通常，人体の腰周り周辺は鼠蹊部よりも臀部の方が大きな膨らみを持っている。このため，第２前側伸縮部材１５同士の間隔Ｐ２と，第２後側伸縮部材２５同士の間隔Ｐ４を一致させると，例えば，前側延出領域１３が着用者の鼠径部に適切にフィットするものの，後側延出領域２３が着用者の臀部を不必要に締め付けてしまったり，その反対に，後側延出領域２３が着用者の臀部に適切にフィットするものの，前側延出領域１３が着用者の鼠径部から浮いてしまうような問題が生じる。そこで，本発明の実施形態では，図４（ａ）及び図４（ｂ）に示されるように，第２前側伸縮部材１５同士の間隔Ｐ２を，第２後側伸縮部材２５同士の間隔Ｐ４よりも狭くしている。つまり，第２前側伸縮部材１５同士の間隔Ｐ２が比較的狭いことで，前側延出領域１３の密着性が向上し，膨らみの小さい鼠径部に対しても適切にフィットする。他方，第２後側伸縮部材２５同士の間隔Ｐ４が比較的広いことで，後側延出領域２３の圧迫力が低下し，膨らみの大きい臀部に対しても圧迫感を与えることなくフィットする。これにより，おむつ全体の着用感を向上する。
【００４８】
上記した各伸縮部材１４，１５，２４，２５には，公知の弾性伸縮部材を用いることができる。例えば，各伸縮部材１４，１５，２４，２５には，糸状弾性ゴムを適用することが好ましい。このようなゴム部材としては，スチレン系ゴム，オレフィン系ゴム，ウレタン系ゴム，エステル系ゴム，ポリウレタン，ポリエチレン，ポリスチレン，スチレンブタジエン，シリコーン，又はポリエステル等の素材を用いることができる。また，各伸縮部材には，例えば熱可塑性エラストマー，プラスチックシート，又はゴムシート等の伸縮性を有する公知の部材を用いることもできる。また，各伸縮部材１４，１５，２４，２５を，前身頃外装体１及び後身頃外装体２に固定する際の伸長率は，例えば１２０％〜４００％，１８０％〜３５０％，又は２４０％〜２９０％とすればよい。なお，本発明において，前身頃外装体１と後身頃外装体２の各所の密着性は，各伸縮部材１４，１５，２４，２５を配置する間隔によって調整可能である。このため，例えば各伸縮部材１４，１５，２４，２５の伸長率や太さを均一にすることも可能である。
【００４９】
また，前身頃外装体１及び後身頃外装体２に配置される複数の弾性伸縮部材は，概念的に，おむつの腰周り端部周辺に配置され吸収体３１と重畳しないウエスト伸縮部材ＷＥと，おむつの腹周りに配置され吸収体３１と重畳する位置に設けられたタミー伸縮部材ＴＥとに分類することもできる。ウエスト伸縮部材ＷＥは，吸収体３１と重畳するものではないため，図４に示されるように非伸縮領域は形成されない。他方，タミー伸縮部材ＴＥは，おむつ幅方向において吸収体３１と重畳するため，その重畳する部分に非伸縮領域が形成される。複数のウエスト伸縮部材ＷＥと複数のタミー伸縮部材ＴＥは，その太さが異なるものであってもよい。例えば，ウエスト伸縮部材ＷＥは，タミー伸縮部材ＴＥよりも太い糸状弾性ゴムによって形成することも可能である。例えば，ウエスト伸縮部材ＷＥの太さは３００ｄｔｅｘ〜１０００ｄｔｅｘとし，タミー伸縮部材ＴＥの太さは１５０ｄｔｅｘ〜５００ｄｔｅｘとしてもよい。
【００５０】
（２−２．吸収性本体）
吸収性本体３は，前身頃外装体１と後身頃外装体２の間に架橋された状態で保持され，使い捨ておむつ１００の着用時において，着用者の股下に位置し，着用者が排泄した尿などの液体を吸収保持するための部材である。図２に示されるように，吸収性本体３は，前身頃外装体１及び後身頃外装体２に接合される両端の辺を一対の短辺とし，一対の短辺の両端同士を結ぶ辺を一対の長辺とした略矩形状で形成されている。
図２や図３に示されるように，吸収性本体３は，吸収体３１と，トップシート３２と，バックシート３３と，一対の立体ギャザー３４と，カバーシート３５と，複数の立体ギャザー伸縮部材４を基本構成とする。また，この立体ギャザー伸縮部材４は，外側ギャザー伸縮部材４１と内側ギャザー伸縮部材４２に分けられる。
【００５１】
（２−２−１．吸収体）
吸収体３１は，尿などの液体を吸収し，吸収した液体を保持するための部材である。吸収体３１は，液透過性のトップシート３２と，液不透過性のバックシート３３の間に配置される。吸収体３１は，トップシート３２を透過した液体を吸収する機能を有し，吸収性材料により構成される。吸収体３１を構成する吸収性材料には，公知の材料を採用することができる。吸収性材料としては，例えば，フラッフパルプ，高吸収性ポリマー，又は親水性シートのうち１種類を単独で用いてもよいし，２種類以上を併用することとしてもよい。吸収性材料は，通常，単層又は複数層のマット状に形成され，用いられる。また，吸収体３１は，トップシート３２とバックシート３３の間の領域に封入されることが好ましい。すなわち，図３に示されるように，トップシート３２とバックシート３３は，吸収体３１の周囲を囲うようして，互いに接合されることが好ましい。
【００５２】
吸収体３１の形状は，適宜，使い捨ておむつの形状や，大きさ，用途に合せて設計することができる。例えば，吸収体３１の形状は，図２に示されるように，砂時計型であることが好ましい。砂時計型とは，前身頃外装体１側と後身頃外装体２側において，吸収体３１の両側縁が，幅方向外側に向かって延出した延出部を有することを意味する。砂時計型では，吸収体３１の四隅に延出部が形成されることにより，吸収体３１の長さ方向中央部に，吸収体３１の内方に向かって湾曲又は屈折したくびれ部が形成される。また，吸収体３１は，一般的な使い捨ておむつに使用されている，矩形型，楕円形型，又はひょうたん型とすることとしてもよい。
【００５３】
（２−２−２．トップシート）
トップシート３２は，着用者の股下部の肌に直接接し，尿などの液体を吸収体３１に透過させるための部材である。このため，トップシート３２は，柔軟性が高い液透過性材料で構成される。また，トップシート３２は，吸収体３１の表面を被覆するように配置される。トップシート３２を構成する不透過性材料の例は，織布，不織布，又は多孔性フィルムである。また，例えばポリプロピレンやポリエチレン，ポリエステル，ナイロンのような熱可塑性樹脂の繊維を親水化処理してさらに不織布にしたものを用いることとしてもよい。
【００５４】
（２−２−３．バックシート）
バックシート３３は，トップシート３２を透過し吸収体３１に吸収された液体が，漏出することを防止するための部材である。このため，バックシート３３は，液不透過性材料によって構成される。そして，バックシート３３は，吸収体３１の底面からの液漏れを防止するため，吸収体３１の底面を被覆するように配置される。バックシート３３を構成する不透過材料の例は，ポリエチレン樹脂からなる液不透過性のフィルムである。特に，０．１〜４μｍの微細な孔が複数形成された微多孔性ポリエチレンフィルムを用いることが好ましい。また，図３に示されるように，バックシート３３には吸収体３１が載置され，載置された吸収体３１の上面がトップシート３２によって被覆され，吸収体３１を被覆したトップシート３２が，吸収体３１の両側縁に沿って，バックシート３３に接着されている。トップシート３２とバックシート３３は，例えば，ホットメルト接着剤やその他流動性のある接着剤を用いた接着方法により接着されてもよいし，ヒートシールのような熱溶着や超音波溶着により接着されていてもよい。
【００５５】
（２−２−４．立体ギャザー）
一対の立体ギャザー３４は，吸収性本体３の両側縁部に沿って起立し，着用者が排泄した尿の横漏れを防止するための部材である。一対の立体ギャザー３４は，吸収性本体３の両側縁部に沿って一対形成されるものであってもよいし，２対以上形成されてもよい。立体ギャザー３４は，起立した状態（弾性伸縮部材が収縮した状態）において尿の防漏壁となる，立体ギャザー３４を形成することで，トップシート３２を透過しなかった尿や，吸収体３１により吸収しきれなった尿が，使い捨ておむつの脚部周り開口部などから漏出する事態を防止できる。
【００５６】
立体ギャザー３４は，吸収体３１の両側縁に沿っては配置されたサイドシート３４ａによって形成される。図２や図３に示されるように，サイドシート３４ａは，使い捨ておむつの長さ方向に沿って，トップシート３２上に固定される。また，サイドシート３４ａは，トップシート３２及びバックシート３３の両側縁を挟みこむようにして，トップシート３２の上面及びバックシート３３の底面に固定されている。
【００５７】
立体ギャザー３４は，複数の立体ギャザー伸縮部材４が，使い捨ておむつの長さ方向に沿って配設されており，複数の立体ギャザー伸縮部材４の収縮力を利用して起立するものである。つまり，立体ギャザー伸縮部材４は，伸張された状態で，サイドシート３４ａに固定されている。このため，立体ギャザー伸縮部材４が収縮すると，立体ギャザー３４を構成するサイドシート３４ａも収縮し，立体ギャザー３４が立ち上がる。立体ギャザー伸縮部材４を配設する位置は，立体ギャザーの形態や，使い捨ておむつの形状や大きさに合せて適宜変更可能である。
【００５８】
また，図２に示されるように，複数の立体ギャザー伸縮部材４は，吸収性本体３の長さ方向全体に亘って配設されるものではなく，吸収性本体３の長さ方向の股下域３ａを中心に配設される。すなわち，サイドシート３４ａは，吸収性本体３の長さ方向の両端の領域において，立体ギャザー伸縮部材４が配設されていない領域を有している。なお，吸収性本体３の股下域３ａとは，吸収性本体３が，前身頃外装体１と後身頃外装体２のいずれにも固定されていない領域を意味する。ただし，少なくとも，複数の立体ギャザー伸縮部材４は，吸収性本体３の股下域３ａを中心として，前身頃外装体１と後身頃外装体２に重畳する長さで形成される。すなわち，吸収性本体３の長さ方向において，複数の立体ギャザー伸縮部材４が配置される長さは，吸収性本体３の股下域３ａの長さよりも長くなる。例えば，吸収性本体３の股下域３ａの長さに対して，複数の立体ギャザー伸縮部材４の長さは，１１０％〜２００％，１２０％〜１８０％，又は１３０％〜１７０％で形成される。
【００５９】
また，図３に示されるように，立体ギャザー３４のそれぞれは，外側ギャザー部３４１と内側ギャザー部３４２の２対のギャザー部で形成されるものであることが好ましい。また，外側ギャザー部３４１と内側ギャザー部３４２は，一枚のシート材（サイドシート３４ａ）から構成されるものであってもよい。すなわち，図３に示されるように，吸収体３１の長さ方向に沿って，バックシート３３の裏面（肌非当接面）に一部固定されたサイドシート３４ａを，トップシート３２とバックシート３３の接合位置よりも幅方向外側において，吸収性本体３の内方に向かって折り返して，外側折返部３４１ａを形成する。そして，サイドシート３４ａの外側折返部３４１ａには，使い捨ておむつの長さ方向に沿って，複数の外側ギャザー伸縮部材４１が配置される。これにより，サイドシート３４ａは，外側折返部３４１ａにおいて，外側ギャザー伸縮部材４１の収縮力を利用して起立し，外側ギャザー部３４１を形成する。
また，外側折返部３４１ａにおいて折り返されたサイドシート３４ａの一部は，トップシート３２とバックシート３３を挟み込むように，トップシート３２の表面（肌当接面）上に固定される。さらに，サイドシート３４ａは，トップシート３２との固定線より幅方向内側にも延在しており，この延在している部分が，吸収体３１の幅方向内方又は幅方向外方に向かって折り返され，内側折返部３４２ａを形成する。そして，サイドシート３４ａの内側折返部３４２ａには，使い捨ておむつの長さ方向に沿って，複数の内側ギャザー伸縮部材４２が配置される。
これにより，立体ギャザー３４には，外側ギャザー部３４１と内側ギャザー部３４２が形成される。
【００６０】
立体ギャザー３４を構成するサイドシート３４ａとしては，撥水性を有する材料を用いることが好ましい。撥水性の材料の例としては，撥水性が高くかつ通気性が良いという観点から，スパンボンドやカードエンボスのような不織布を用いることが好ましい。特に，耐水圧が高いという理由から，ＳＭＳ（スパンボンド／メルトブロー／スパンボンド）や，ＳＭＭＳ（スパンボンド／メルトブロー／メルトブロー／スパンボンド）のような目の詰まった不織布を用いることが好ましい。
【００６１】
（２−２−５．カバーシート）
カバーシート３５は，バックシート３３を補強し，かつ，その手触りを良くするための部材である。図３に示されるように，カバーシート３５は，バックシート３３の衣類と対抗する側に貼り合わせられる。カバーシート３５は，サイドシート３４ａの一部に重畳して貼り合わせられるものであってもよい。カバーシート３５を構成する材料としては，織布や不織布が用いられる。特に，カバーシート３５を構成する材料として，ポリエチレン，ポリプロピレン，ポリエステルのような熱可塑性樹脂からなる不織布又は湿式不織布を用いることが好ましい。
【００６２】
（３．前身頃外装体及び後身頃外装体に対する吸収性本体の接合態様について）
続いて，図５及び図６を参照して，前身頃外装体１及び後身頃外装体２に対する吸収性本体３の接合態様について説明する。
図５は，基本的に図２に示された平面図と同様のものであるが，吸収性本体３が前身頃外装体１及び後身頃外装体２に接合される部分を，斜線で示している。
また，図６は，図５に示した使い捨ておむつの断面図を示している。図６（ａ）は，図５に示されたＸ１−Ｘ１線における断面図であり，図６（ｂ）は，Ｘ２−Ｘ２線における断面図であり，図６（ｃ）は，Ｘ３−Ｘ３線における断面図である。なお，図６は，基本的に，吸収性本体３と前身頃外装体１の接合部分の断面図を示しているが，これらの断面図は，対応する吸収性本体３と後身頃外装体２の接合部分の断面図と同様である。このため，吸収性本体３と後身頃外装体２の接合部分の断面図は省略する。
【００６３】
図５に示された実施形態において，吸収性本体３が前身頃外装体１及び後身頃外装体２に重なる領域は，吸収性本体３の長さ方向に，両端領域５１と，伸縮領域５２と，中間領域５３に区分される。
【００６４】
（３−１．両端領域）
両端領域５１は，吸収性本体３の長さ方向の両端部分に形成される領域である。すなわち，両端領域５１は，吸収性本体３と前身頃外装体１が接合する領域の端部と，吸収性本体３と後身頃外装体２が接合する領域の端部に形成される。両端領域５１は，吸収性本体３の長さ方向の端縁から，所定長さ，吸収性本体３の股下域３ａが存在する方向に延びて形成されている。例えば，両端領域５１は，吸収性本体３の長さ方向の端縁から，５ｍｍ〜５０ｍｍ，１０ｍｍ〜４５ｍｍ，又は１５ｍｍ〜４０ｍｍ程度の範囲で，吸収性本体３の股下域３ａに向かって形成されることが好ましい。また，例えば，両端領域５１は，吸収性本体３が前身頃外装体１に接合された領域と，吸収性本体３が後身頃外装体２に接合された領域のそれぞれにおいて，５％〜３０％，又は１０％〜２０％の割合の面積で形成されていることが好ましい。
【００６５】
図５に示されるように，吸収性本体３は，その幅方向の左右両側部に複数の立体ギャザー伸縮部材４を有している。この複数の立体ギャザー伸縮部材４は，吸収性本体３の股下域３ａを中心として配置され，吸収性本体３の両端領域５１に達しない長さとなっている。このため，吸収性本体の両端領域５１には，立体ギャザー伸縮部材４が介在しない。
【００６６】
そして，図５に示されるように，吸収性本体３は，両端領域５１において，前身頃外装体１及び後身頃外装体２と，おむつの幅方向全域に亘って接合されている。両端領域５１における具体的な接合状態は，図６（ａ）に示されている。図６（ａ）は，吸収性本体３の両端領域５１の断面図を示している。図６（ａ）に示されるように，吸収性本体３は，その幅方向の全域に亘って第１の接合部６１が形成されており，この第１の接合部６１において，前身頃外装体１と接合されている。このように，吸収性本体３は，両端領域５１において，前身頃外装体１及び後身頃外装体２と，離間する部分なく接合されていることが好ましい。
【００６７】
また，図５に示されるように，両端領域５１は，吸収性本体３の吸収体３１の長さ方向の両端部分に重なって形成されていることが特に好ましい。すなわち，両端領域５１は，吸収性本体３の長さ方向端縁から，吸収性本体３の股下域に向かって，吸収体３１の端部が存在する位置まで延びて形成されていることが好ましい。このように，両端領域５１に，吸収性本体３の吸収体３１を位置させることにより，例えば，着用者がおむつを装着している状態において，吸収性本体３の吸収体３１に位置ズレやヨレが生じることを防止できる。
【００６８】
（３−２．伸縮領域）
続いて，吸収性本体３が前身頃外装体１及び後身頃外装体２に重なる領域には，伸縮領域５２が存在する。伸縮領域５２は，吸収性本体３の左右両側部に配置された複数の立体ギャザー伸縮部材４が，前身頃外装体１と後身頃外装体２に重なる箇所から，吸収性本体３の幅方向に亘って形成された領域である。伸縮領域５２は，吸収性本体３に形成される各領域のうち，最も股下域３ａに近接した位置に形成される。すなわち，伸縮領域５２は，吸収性本体３を，前身頃外装体１と後身頃外装体２の股下域３ａ側の端部に接合する領域である。
【００６９】
例えば，伸縮領域５２は，前身頃外装体１と後身頃外装体２の股下域３ａ側の端縁から，１０ｍｍ〜１００ｍｍ，２０ｍｍ〜９０ｍｍ，又は３０ｍｍ〜８０ｍｍ程度の範囲で，吸収性本体３の長さ方向に形成されることが好ましい。また，例えば，伸縮領域５２は，吸収性本体３が前身頃外装体１に接合された領域と，吸収性本体３が後身頃外装体２に接合された領域のそれぞれにおいて，２０％〜６０％，又は３０％〜５０％の割合の面積を占めることが好ましい。特に，伸縮領域５２は，前身頃外装体１の前側延出領域１３と，後身頃外装体２の後側延出領域２３を含む領域に位置するものであることが好ましい。また，伸縮領域５２は，吸収性本体３が前身頃外装体１に接合される領域と，吸収性本体３が前身頃外装体１に接合される領域とにおいて，占有面積率が異なるものであってもよい。
【００７０】
伸縮領域５２は，さらに，吸収性本体３の幅方向の左右外側に位置する外側領域５２ａと，外側領域５２ａの内側に位置する内側領域５２ｂに区分される。左右一対の外側領域５２ａは，吸収性本体３の左右両側部に配置された複数の立体ギャザー伸縮部材４のうち，少なくとも，吸収性本体３の幅方向の最も外側に位置する外側弾性伸縮部材４ａが配置された領域である。ただし，外側領域５２ａには，外側弾性伸縮部材４ａの他，一又は複数の立体ギャザー伸縮部材４が配置されていてもよい。例えば，図４に示した例において，外側領域５２ａには，外側弾性伸縮部材４ａの他に，一本の立体ギャザー伸縮部材４が配置されている。
【００７１】
また，伸縮領域５２のうち，左右一対の外側領域５２ａの間の領域には，内側領域５２ｂが形成される。伸縮領域５２において，内側領域５２ｂが占める面積の割合は，一対の外側領域５２ａが占める面積の割合よりも大きいものであることが好ましい。例えば，内側領域５２ｂが占める面積の割合は，７０〜９５％，８５％〜９０％，又は８０％〜８５％であることが好ましい。
【００７２】
そして，図５に示されるように，吸収性本体３は，伸縮領域５２において，前身頃外装体１及び後身頃外装体２に対し，左右一対の外側領域５２ａでは離間し，その間の内側領域５２ｂでは全面的に接合されている。伸縮領域５２における具体的な接合状態は，図６（ｂ）に示されている。図６（ｂ）は，吸収性本体３の伸縮領域５２の断面図を示している。図６（ｂ）に示されるように，吸収性本体３は，内側領域５２ｂの全域に亘って，第２の接合部６２が形成されており，この第２の接合部６２において，前身頃外装体１と接合されている。他方，吸収性本体３は，内側領域５２ｂの幅方向外側に位置する一対の外側領域５２ａに接合部を有しておらず，前身頃外装体１から離間している。すなわち，一対の外側領域５２ａには，少なくとも，吸収性本体３の幅方向の最も外側に位置する外側伸縮部材４ａが含まれており，外側弾性伸縮部材４ａは，前身頃外装体１には固定されないようになっている。このように，吸収性本体３は，伸縮領域５２においては，前身頃外装体１及び後身頃外装体２に対し，一対の外側領域５２ａで離間し，その間に位置する内側領域５２ｂで接合されていることが好ましい。
【００７３】
また，図５に示されるように，伸縮領域５２における内側領域５２ｂの幅は，吸収性本体３の吸収体３１の幅よりも大きいものであることが好ましい。すなわち，伸縮領域５２における内側領域５２ｂは，吸収性本体３の吸収体３１よりも幅方向外側に広がって形成されたものであることが好ましい。このように，伸縮領域５２における内側領域５２ｂを，吸収性本体３の吸収体３１よりも幅広に形成することにより，例えば，着用者がおむつを装着している状態において，吸収性本体３の吸収体３１に位置ズレやヨレが生じることを防止できる。
【００７４】
また，図６（ｂ）に示されるように，吸収性本体３に，外側ギャザー部３４１と内側ギャザー部３４２が形成された形態において，伸縮領域５２における内側領域５２ｂには，少なくとも，外側ギャザー部３４１を形成する複数の外側ギャザー伸縮部材４１うちの一本以上が位置していることが好ましい。すなわち，複数の外側ギャザー伸縮部材４１うち，吸収性本体３の幅方向において，最も外側に位置する外側ギャザー伸縮部材４１（外側弾性伸縮部材４ａ）は，伸縮領域５２の外側領域５２ａに位置し，他方，最も内側に位置する外側ギャザー伸縮部材４１は，伸縮領域５２の内側領域５２ｂに位置するものであることが好ましい。これにより，最も外側に位置する外側ギャザー伸縮部材４１（外側弾性伸縮部材４ａ）は，前身頃外装体１及び後身頃外装体２に接合されず，離間する。他方，最も内側に位置する外側ギャザー伸縮部材４１は，前身頃外装体１及び後身頃外装体２に接合される。このように，複数の外側ギャザー伸縮部材４１が，前身頃外装体１及び後身頃外装体２から離間するものと，前身頃外装体１及び後身頃外装体２に接合されるものを有することにより，外側ギャザー伸縮部材４１の機能を損なうことなく，前身頃外装体１及び後身頃外装体２に対して吸収性本体３を安定的に接合することができるようになる。
【００７５】
（３−３．中間領域）
さらに，吸収性本体３が前身頃外装体１及び後身頃外装体２に重なる領域には，中間領域５３が存在することが好ましい。中間領域５３は，吸収性本体３の長さ方向において，両端領域５１と伸縮領域５２の間に位置する領域である。中間領域５３には，両端領域５１と同様に，吸収性本体３の両側部に配置された複数の立体ギャザー伸縮部材４が位置しないものであってもよいし，伸縮領域５２に位置する立体ギャザー伸縮部材４の一部が延在するものであってもよい。なお，中間領域５３は，両端領域５１と伸縮領域５２の間を繋ぐものであり，必須の要素ではない。
【００７６】
例えば，中間領域５３は，吸収性本体３が前身頃外装体１に接合された領域と，吸収性本体３が後身頃外装体２に接合された領域のそれぞれにおいて，１０％〜７５％，又は３０％〜６０％の割合の面積を占めることが好ましい。中間領域５３の面積率は，両端領域５１と伸縮領域５２の面積率に応じて適宜変更可能である。また，中間領域５３は，吸収性本体３が前身頃外装体１される領域と，吸収性本体３が後身頃外装体２に接合される領域とにおいて，占有面積率が異なるものであってもよい。
【００７７】
中間領域５３は，さらに，吸収性本体３の幅方向の中央に位置する接合領域５３ａと，接合領域５３ａの幅方向外側に位置する非接合領域５３ｂに区分される。吸収性本体３の幅方向において，中間領域５３の接合領域５３ａの幅は，両端領域５１の幅よりも狭く，かつ，伸縮領域５２の内側領域５２ｂの幅よりも広く形成されている。例えば，中間領域５３の接合領域５３ａの幅は，両端領域５１の幅に対して，７０％〜９５％，７５％〜９０％，又は８０％〜８５％であることが好ましい。また，例えば，中間領域５３の接合領域５３ａの幅は，伸縮領域５２の内側領域５２ｂの幅に対して，１０５％〜１５０％，１１０％〜１３０％，又は１１５％〜１２０％であることが好ましい。また，図４に示された例において，中間領域５３の接合領域５３ａの幅は，一定である。ただし，中間領域５３の接合領域５３ａの幅は，両端領域５１から伸縮領域５２に向かって段階的に狭くなるものであってもよいし，無段階的に徐々に狭くなるものであってもよい。
【００７８】
中間領域５３において，接合領域５３ａが占める面積の割合は，一対の非接合領域５３ｂが占める割合よりも大きいものであることが好ましい。例えば，非接合領域５３ｂが占める割合は，７０〜９５％，８５％〜９０％，又は８０％〜８５％であることが好ましい。なお，中間領域５３の非接合領域５３ｂの幅は，接合領域５３ａの幅に応じて適宜変化させればよい
【００７９】
そして，図５に示されるように，吸収性本体３は，中間領域５３において，前身頃外装体１及び後身頃外装体２に対し，接合領域５３ａでは全面的に接合されて，その外側に位置する非接合領域５３ｂでは離間している。具体的な接合状態は，図６（ｃ）に示されている。図６（ｃ）は，吸収性本体３の中間領域の断面図を示している。図６（ｃ）に示されるように，吸収性本体３は，接合領域５３ａの全域に亘って，第３の接合部６３が形成されており，この第３の接合部６３において，前身頃外装体１と接合されている。他方，吸収性本体３は，接合領域５３ａの幅方向外側に位置する一対の非接合領域５３ｂに接合部を有しておらず，前身頃外装体１から離間している。
【００８０】
また，図５に示されるように，中間領域５３における接合領域５３ａの幅は，吸収性本体３の吸収体３１の幅よりも大きいものであることが好ましい。すなわち，中間領域５３における接合領域５３ａは，吸収性本体３の吸収体３１よりも幅方向外側に広がって形成されたものであることが好ましい。このように，接合領域５３ａを，吸収性本体３の吸収体３１よりも幅広に形成することにより，例えば，着用者がおむつを装着している状態において，吸収性本体３の吸収体３１に位置ズレやヨレが生じることを防止できる。
【００８１】
本発明では，両端領域５１の接合幅と，伸縮領域５２における内側領域５２ｂの接合幅に差が生じることとなるため，この接合幅の差が大きいと，例えば，着用者がおむつを着用しながら運動した場合など，吸収性本体３に負荷が掛かったような場合に，吸収性本体３の両端領域５１の接合が剥離し易くなる。そこで，両端領域５１と伸縮領域５２の間に中間領域５３を設けて，各領域における接合幅の差を小さくすることにより，吸収性本体３全体の接合強度を向上させることが可能になり，固定状態の安定化を図ることができる。
また，両端領域５１と伸縮領域５２の間に中間領域５３を設けて，各領域における接合幅の差を小さくすることにより，外装体に不要なシワが入らず，見映えや手触り感が良好になる。
【００８２】
上記構成のように，まず，吸収性本体３は，その長さ方向の両端に位置する両端領域５１において，前身頃外装体１及び後身頃外装体２に対し，全面的に接合される。このように，吸収性本体３の両端部をしっかりと前身頃外装体１及び後身頃外装体２に固定することにより，吸収性本体の接合状態を安定させることができる。従って，例えば，着用者がおむつを装着している状態において，吸収性本体３に位置ズレやヨレが生じることを防止できる。
さらに，少なくとも外側弾性伸縮部材４ａが配置された吸収性本体３の左右両側部に位置する外側領域５２ａにおいて，吸収性本体３を，前身頃外装体１及び後身頃外装体２から離間させる。このため，少なくとも外側弾性伸縮部材４ａは，吸収性本体３と前身頃外装体の固定や，吸収性本体３と後身頃外装体２の固定の影響を受けずに収縮する。従って，吸収性本体３は，外側弾性伸縮部材４ａが配置された箇所において，外側弾性伸縮部材４ａの収縮力を利用して，着用者の肌に当接する方向に起立することができる。よって，上記構成によれば，吸収性本体３と着用者の肌の密着性を高め，尿漏れ防止や着用感の向上といった効果を適切に発揮することができる。
このように，本発明によれば，吸収性本体３の位置ズレやヨレを防止しつつも，弾性伸縮部材の機能を十分に発揮することができるため，使い捨ておむつ全体の使用感や着用感が向上する。
【００８３】
また，上記構成のように，両端領域５１と伸縮領域５２の間に中間領域５３を設けることにより，前身頃外装体１及び後身頃外装体２に対する吸収性本体３の固定状態を，より安定させることができる。すなわち，本発明では，両端領域５１の接合幅と，伸縮領域５２における内側領域５２ｂの接合幅に差が生じることとなる。しかし，この接合幅の差が大きいと，例えば，着用者がおむつを着用しながら運動した場合など，吸収性本体３に負荷がかかったような場合に，吸収性本体３の両端領域５１の接合が剥離し易くなる。この点，両端領域５１と伸縮領域５２の間に中間領域５３を設けて，各領域における接合幅の差を小さくすることにより，吸収性本体３全体の接合強度を向上させることが可能になるため，固定状態の安定化を図ることができる。
また，両端領域５１の接合幅と伸縮領域５２における内側領域５２ｂの接合幅の差が大きいと，その差の生じた箇所において，外装体にシワが形成され，見映えや手触り感が悪くなる。この点，本発明は，両端領域５１と伸縮領域５２の間に中間領域５３を設けて，各領域における接合幅の差を小さくすることにより，吸収性本体３の肌触りが滑らかなものとなり，着用感の向上を達成できる。
【００８４】
以上，本願明細書では，本発明の内容を表現するために，図面を参照しながら発明の実施形態の説明を行った。ただし，本発明は，上記実施形態に限定されるものではなく，本願明細書に記載された事項に基づいて当業者が自明な変更形態や改良形態を包含するものである。
【産業上の利用可能性】
【００８５】
本発明に係る使い捨ておむつは，乳幼児や高齢者用のおむつに適用することができる。従って，本発明は，育児及び介護に関する産業において好適に利用し得る。
【符号の説明】
【００８６】
１          前身頃外装体
２          後身頃外装体
３          吸収性本体
３ａ        股下域
４          立体ギャザー伸縮部材
４ａ        外側弾性伸縮部材
５          腹周り開口部
６          脚部周り開口部
１１        サイドシール部（前身頃外装体）
１２        前側本体領域
１３        前側延出領域
１４        第１前側伸縮部材
１５        第２前側伸縮部材
２１        サイドシール部（後身頃外装体）
２２        後側本体領域
２３        後側延出領域
２４        第１後側伸縮部材
２５        第２後側伸縮部材
１６，２６  インナーシート
１７，２７  アウターシート
３１        吸収体
３２        トップシート
３３        バックシート
３４        立体ギャザー
３４ａ      サイドシート
３４１      外側ギャザー部
３４１ａ    外側折返部
３４２      内側ギャザー部
３４２ａ    内側折返部
３５        カバーシート
４１        外側ギャザー伸縮部材
４２        内側ギャザー伸縮部材
５１        両端領域
５２        伸縮領域
５２ａ      外側領域
５２ｂ      内側領域
５３        中間領域
５３ａ      接合領域
５３ｂ      非接合領域
６１        第１の接合部
６２        第２の接合部
６３        第３の接合部
１００      使い捨ておむつ
【図１】
0005953962.tif 000002
【図２】
0005953962.tif 000003
【図３】
0005953962.tif 000004
【図４】
0005953962.tif 000005
【図５】
0005953962.tif 000006
【図６】
0005953962.tif 000007